【事件の表示】
　特願２０１４−　２２８８２号「遊技台」拒絶査定不服審判事件〔平成２７年　８月２０日出願公開、特開２０１５−１４６９９６号〕について、次のとおり審決する。
【結　論】
　本件審判の請求は、成り立たない。
【理　由】
１　手続の経緯
　本願は、平成２６年２月７日の出願であって、平成２８年３月４日付けで拒絶の理由が通知され、平成２８年４月２８日に意見書及び手続補正書が提出され、平成２８年１０月１９日付けで最後の拒絶の理由が通知され、平成２８年１１月２２日に意見書及び手続補正書が提出されたところ、平成２９年３月３１日付け（発送日：平成２９年４月４日）で、平成２８年１１月２２日になされた手続補正が却下されるとともに拒絶査定がなされ、それに対して、平成２９年６月２９日に拒絶査定不服審判の請求がなされると同時に手続補正がなされ、これに対し、当審において、平成３０年２月１４日付けで拒絶の理由が通知され、平成３０年４月５日に意見書及び手続補正書が提出されたものである。
２　本願発明
　この出願の請求項１〜７に係る発明は、平成３０年４月５日付けの手続補正書により補正された特許請求の範囲の請求項１〜７に記載されたとおりのものであるところ、その請求項１に係る発明（以下「本願発明」という。）は、次のとおりのものと認める（Ａ〜Ｏについては、発明特定事項を分説するため当審で付した。）。
「【請求項１】
Ａ　遊技者が操作可能な位置に設けられた操作手段と、
Ｂ　複数種類の表示を表示可能な表示手段と、
Ｃ　複数種類の演出を実行可能な演出手段と、
Ｄ　を備えた遊技台であって、
Ｅ　前記遊技台は、パチンコ機であり、
Ｆ　前記複数種類の表示のうちの一つは、第一の表示であり、
Ｇ　前記複数種類の表示のうちの一つは、第二の表示であり、
Ｈ　前記第一の表示は、前記操作手段の操作促進表示であり、
Ｉ　前記第一の表示は、前記操作手段の操作に関する受付が有効となる期間（以下、「第一の期間」という。）に表示される表示であり、
Ｊ　前記第二の表示は、前記第一の期間の長さを示唆する表示であり、
Ｋ　前記複数種類の演出のうちの一つは、第一の演出であり、
Ｌ　前記第一の演出は、前記操作手段の操作の受付毎に実行される演出であり、
Ｍ　前記第一の期間において、前記操作手段の操作が受け付けられると、前記第一の演出が開始され、
Ｎ　前記第一の期間において、前記第一の表示の表示位置とは異なる位置であって前記第二の表示の一部にオーバーラップする位置に新たな第一の表示が表示される場合がある、
Ｏ　ことを特徴とする遊技台。」
３　拒絶の理由
　平成３０年２月１４日の当審が通知した拒絶理由は、本願発明は、本願の出願前に日本国内において、頒布された以下の引用文献に記載された発明及び引用文献に記載された事項に基づいて、その出願前にその発明の属する技術の分野における通常の知識を有する者が容易に発明をすることができたものであるから、特許法２９条２項の規定により特許を受けることができない、というものである。
引用文献：特開２０１３−１２８６２２号公報
４　引用文献の記載及び引用発明
（１）引用文献の記載事項
　引用文献には、以下の事項が図面とともに記載されている（下線は、当審で付した。以下同じ。）。
　　
（ア）「【０００１】
　本発明は
弾球遊技機
（イ）「【０００９】
　以下、本発明の実施の形態における
パチンコ遊技機
【００１０】
　
上皿６には、
演出ボタン６Ａが装着されている。この演出ボタン６Ａは遊技者が手指で操作入力するものであり、
を介してオフ位置に保持されることに基づいて電気的なオフ状態になるものであり、演出ボタン６Ａの押込み位置では操作子が演出ボタン６Ａを介してオン位置に移動操作されることに基づいて電気的なオン状態になる。」
（ウ）「【００４４】
　
メイン制御装置２３は
表示制御装置２６に図柄変動指令を出力する。すると、表示制御装置２６は、図柄表示装置２５の各列の
図柄群を
変動させ、図柄変動画面を表示する。
【００４５】
　
そして、
表示制御装置２６において、予告演出表示を行うか否かの抽選を行う。ここで、予告演出表示を行うと判定された場合には、
予告演出決定処理へ移行する
（エ）「【００５２】
　
表示制御装置２６は、
演出ボタン画像１００を図柄表示装置２５の表示画面２５Ａに表示して、
予告演出を表示する
【００５３】
　また、図５のステップＳ２１で、演出ボタン６Ａを表す演出ボタン画像１００を表示する予告演出を表示する場合には、次に、図５のステップＳ２３で、表示制御装置２６に複数種類記憶された予告演出のうちのどの演出パターンを表示するかの判定を行う。本実施の形態では、どの演出パターンでも、まず、
遊技者に演出ボタン６Ａの操作を促す演出ボタン画像１００
（オ）「【００５９】
　第２のパターンの第１例では、
まず、
予告演出が開始されると、
図７の（ａ）に示すように、所定の背景画像
２００の手前側に、
演出ボタン画像１００が１つ表示される。
【００６０】
　
次に、
最初に表示された演出ボタン画像１００の左隣にもう１つ演出ボタン画像１００が表示される。
【００６１】
　
それから、
当該左隣の演出ボタン画像１００と同様にして、最初に表示された演出ボタン画像１００の右側、下側、左下側、右下側の順に、演出ボタン画像１００を表示させていく。
【００６２】
　このようにして、第２のパターンの第１例では、まず演出ボタン画像１００を１つ表示する第１及び第２のパターンで共通の表示態様の第１の演出画像を表示した後、複数の演出ボタン画像１００に増加させて表示する第３の演出画像（ここでは、
６つの演出ボタン画像１００を表示する
（カ）「【００６３】
　
６つの演出ボタン画像１００が表示されたら、
「押して！押して！」、「プッシュ！プッシュ！」等の遊技者に演出ボタン６Ａを操作するように促す表示を行い
、遊技者がそれに応じて演出ボタン６Ａを操作したら、図８の（ｊ）に示すように、左上の演出ボタン画像１００が消去され、その代わりに、画面手前側から画面奥側に向かって複数のブロック３００が飛んでいく特定演出画像が表示される
【００６４】
　そして、
画面奥側にはガラス板があるようなイメージになっており、
図８の（ｋ）に示すように、ブロック３００がある程度まで飛んでいくと、当該ガラス板にぶつかってブロック３００が砕けるような表示がなされる。これを、遊技者が演出ボタン６Ａを操作するのに対応させて、図８の（ｌ），図９の（ｍ）〜（ｐ）に示すように、右上、左下、真ん中下、右下、真ん中上という順で、さらに５回分繰り返していく。
【００６５】
　そして、図４のステップＳ４において予め外れリーチ又は大当りと判定されている場合、本実施の形態では、所定の結末として、
図９の（ｐ）に示すように、
ブロック３００がガラス板にひびを入れ、この後、図９の（ｑ）に示すように、ガラス板が割れて、その後ろ側からキャラクタ画像５００が出現する
（キ）「【００６９】
　なお、本実施の形態の場合、
遊技者が演出ボタン６Ａの操作を行わずに所定時間が経過し、
図８の（ｊ）〜（ｌ），図９の（ｍ）〜（ｐ）に示すような表示は行わずに、図９の（ｑ）及び図９の（ｒ）に示すような表示を行って、リーチ状態とする。
（ク）「【００９１】
　
また、前記した実施の形態では、複数の演出ボタン画像（操作手段画像）１００が出現する第２のパターンの演出の場合に、当該複数の演出ボタン画像１００が全て出現し終わってから、演出ボタン（操作手段）６Ａの操作が可能となっていたが、本発明はこれに限らず、複数の演出ボタン画像１００が出現している途中で、演出ボタン６Ａの操作を行って、順次、特定演出画像を表示するようになっていても良い。
（ケ）上記（エ）【００５２】には、「図柄表示装置２５の表示画面２５Ａ」と、上記（オ）【００５９】には、「図７の（ａ）に示すように、所定の背景画像・・・２００の手前側に、・・・演出ボタン画像１００が１つ表示される」と、上記（カ）【００６３】には、「図８の（ｊ）に示すように、・・・ブロック３００が・・・表示される」と、上記（カ）【００６５】には、「図９（ｑ）に示すように、・・・キャラクタ画像５００が出現する」と、それぞれ、記載されている。
　よって、「表示画面２５Ａ」には、図７（ａ）においては「演出ボタン画像１００」、「背景画像２００」が、図８（ｊ）においては「ブロック３００」が、図９（ｑ）においては「キャラクタ画像５００」が表示されていることが示されているといえる。
（コ）上記（ケ）より、符号「２５Ａ」及び符号「１００」は、それぞれ、「表示画面２５Ａ」及び「演出ボタン画像１００」を意味しているから、図８（ｉ）には、表示画面２５Ａに６つの演出ボタン画像１００が表示されていることが示されている。
　また、上記（カ）【００６３】〜【００６５】には、「図８の（ｊ）に示すように、左上の演出ボタン画像１００が消去され、その代わりに、画面手前側から画面奥側に向かって複数のブロック３００が飛んでいく特定演出画像が表示される・・・画面奥側にはガラス板があるようなイメージになっており、・・・図８の（ｋ）に示すように、ブロック３００がある程度まで飛んでいくと、当該ガラス板にぶつかってブロック３００が砕けるような表示がなされる。これを、・・・図８の（ｌ），図９の（ｍ）〜（ｐ）に示すように、右上、左下、真ん中下、右下、真ん中上という順で、さらに５回分繰り返していく。・・・図９の（ｐ）に示すように、・・・ブロック３００がガラス板にひびを入れ、この後、図９の（ｑ）に示すように、ガラス板が割れて、その後ろ側からキャラクタ画像５００が出現する」と記載されている。
　そうすると、図８（ｉ）〜図９（ｑ）には、図８（ｉ）の表示画面２５Ａに６つの演出ボタン画像１００が表示されている状態から、図８（ｊ）〜（ｌ）、図９（ｍ）〜（ｏ）では、演出ボタン画像１００が１つ消去されると、画面手前側から画面奥側に向かって複数のブロック３００が飛んでいき、画面奥側のガラス板にぶつかってブロック３００が砕けるような表示がなされ、これを、５回分繰り返し、図９（ｏ）で表示されている最後の演出ボタン画像１００が消去されると、図９（ｐ）に示すようにブロック３００がガラス板にひびを入れ、図９（ｑ）では、背景にキャラクタ画像５００が現れることが示されているといえる。
　上記（ア）〜（キ）の記載事項、及び、（ケ）、（コ）の認定事項から、以下の事項が導かれる。
（ａ）上記（イ）【００１０】には、「上皿６には、・・・演出ボタン６Ａが装着されている。この演出ボタン６Ａは遊技者が手指で操作入力するものであり、」と記載されている。
　そうすると、引用文献には、上皿６に装着された遊技者が手指で操作入力する演出ボタン６Ａが記載されているといえる。
（ｂ）上記（ウ）【００４４】、【００４５】には、「メイン制御装置２３は・・・表示制御装置２６に図柄変動指令を出力する。すると、表示制御装置２６は、図柄表示装置２５の各列の・・・図柄群を・・・変動させ、図柄変動画面を表示する。そして、・・・表示制御装置２６において、予告演出表示を行うか否かの抽選を行う。ここで、予告演出表示を行うと判定された場合には、・・・予告演出決定処理へ移行する」と、上記（エ）【００５２】には、「表示制御装置２６は、・・・演出ボタン画像１００を図柄表示装置２５の表示画面２５Ａに表示して、・・・予告演出を表示する」ことが、それぞれ、記載されている。
　また、上記（ケ）より、「表示画面２５Ａ」には、「演出ボタン画像１００」、「背景画像２００」、「ブロック３００」、「キャラクタ画像５００」が表示されていることが示されている。
　そうすると、引用文献には、図柄変動画面における予告演出として、演出ボタン画像１００、背景画像２００、ブロック３００、キャラクタ画像５００を表示する表示画面２５Ａが記載されているといえる。
（ｃ）上記（ウ）【００４４】、【００４５】には、「メイン制御装置２３は・・・表示制御装置２６に図柄変動指令を出力する。すると、表示制御装置２６は、図柄表示装置２５の各列の・・・図柄群を・・・変動させ、図柄変動画面を表示する。そして、・・・表示制御装置２６において、予告演出表示を行うか否かの抽選を行う。ここで、予告演出表示を行うと判定された場合には、・・・予告演出決定処理へ移行する」と、上記（エ）【００５２】には、「表示制御装置２６は、・・・演出ボタン画像１００を・・・表示画面２５Ａに表示して、・・・予告演出を表示する」と、それぞれ、記載されている。
　また、上記（オ）【００５９】〜【００６１】には、「予告演出が開始されると、・・・演出ボタン画像１００が１つ表示される。・・・最初に表示された演出ボタン画像１００の左隣にもう１つ演出ボタン画像１００が表示される。・・・当該左隣の演出ボタン画像１００と同様にして、最初に表示された演出ボタン画像１００の右側、下側、左下側、右下側の順に、演出ボタン画像１００を表示させていく。」と記載され、上記（カ）【００６３】、【００６４】には、「６つの演出ボタン画像１００が表示されたら、・・・遊技者が・・・演出ボタン６Ａを操作したら、・・・左上の演出ボタン画像１００が消去され、・・・遊技者が演出ボタン６Ａを操作するのに対応させて、・・・右上、左下、真ん中下、右下、真ん中上という順で、さらに５回分繰り返していく。」と記載されている。
　そうすると、引用文献には、図柄変動画面における予告演出として、演出ボタン画像１００の表示を増加する演出と、演出ボタン画像１００の表示を消去する演出を表示する表示制御装置２６が記載されているといえる。
（ｄ）（ｏ）上記（ア）【０００１】に「弾球遊技機」と記載されている。
（ｅ）上記（ア）【０００１】に「弾球遊技機」と、上記（イ）【０００９】に「パチンコ遊技機」と、それぞれ、記載されている。
（ｆ）上記（ｂ）より、引用文献には、表示画面２５Ａに表示されるものの一つは、演出ボタン画像１００であることが記載されているといえる。
（ｈ）上記（エ）【００５３】には、「遊技者に演出ボタン６Ａの操作を促す演出ボタン画像１００」と記載されている。
　よって、引用文献には、演出ボタン画像１００は、遊技者に演出ボタン６Ａの操作を促すものであることが記載されているといえる。
（ｉ）上記（カ）【００６３】には、「演出ボタン画像１００が表示されたら、・・・「押して！押して！」、「プッシュ！プッシュ！」等の遊技者に演出ボタン６Ａを操作するように促す表示を行い・・・、遊技者がそれに応じて演出ボタン６Ａを操作したら、・・・演出ボタン画像１００が消去され」ることが記載されている。
　また、上記（キ）【００６９】には、「遊技者が演出ボタン６Ａの操作を行わずに所定時間が経過し、・・・図８の（ｊ）〜（ｌ），図９の（ｍ）〜（ｐ）に示すような表示は行わずに、図９の（ｑ）及び図９の（ｒ）に示すような表示を行って、リーチ状態とする。」と記載され、上記（コ）より、図９（ｏ）で表示されている最後の演出ボタン画像１００が消去された後の表示となる図９（ｑ）及び図９（ｒ）は、演出ボタン画像１００は表示されていないから、遊技者が演出ボタン６Ａの操作を行わずに所定時間が経過すると、演出ボタン画像１００の表示は終了しているといえる。
　よって、引用文献には、演出ボタン画像１００が表示されると、「押して！押して！」、「プッシュ！プッシュ！」等の遊技者に演出ボタン６Ａを操作するように促す表示が行われ、遊技者がそれに応じて演出ボタン６Ａを操作したら、演出ボタン画像１００が消去され、遊技者が演出ボタン６Ａの操作を行わずに所定時間が経過すると、演出ボタン画像１００の表示は終了することが記載されているといえる。
（ｋ）上記（ｃ）より、引用文献には、表示制御装置２６に表示される演出の一つは、演出ボタン画像１００の表示を消去する演出であることが記載されているといえる。
（ｌ）上記（カ）【００６３】には、「演出ボタン画像１００が表示され・・・遊技者が・・・演出ボタン６Ａを操作したら、・・・演出ボタン画像１００が消去され」ることが記載されている。
　よって、引用文献には、演出ボタン画像１００が表示され、遊技者が演出ボタン６Ａを操作したら、演出ボタン画像１００の表示が消去されることが記載されているといえる。
（ｍ）上記（カ）【００６３】には、「演出ボタン画像１００が表示されたら、・・・遊技者に演出ボタン６Ａを操作するように促す表示を行い・・・、遊技者がそれに応じて演出ボタン６Ａを操作したら、・・・演出ボタン画像１００が消去され、」と、記載されている。
　よって、引用文献には、演出ボタン画像１００が表示されて、演出ボタン６Ａを操作するように促す表示に応じて遊技者が演出ボタン６Ａを操作すると演出ボタン画像１００が消去されることが記載されているといえる。
（ｎ）上記（オ）【００５９】〜【００６２】には、「まず、・・・演出ボタン画像１００が１つ表示される。・・・次に、・・・最初に表示された演出ボタン画像１００の左隣にもう１つ演出ボタン画像１００が表示される。・・・それから、・・・当該左隣の演出ボタン画像１００と同様にして、最初に表示された演出ボタン画像１００の右側、下側、左下側、右下側の順に、・・・６つの演出ボタン画像１００を表示する」と記載されている。
　よって、引用文献には、最初に表示された演出ボタン画像１００の左隣、右側、下側、左下側、右下側の順に６つの演出ボタン画像１００を表示することが記載されている。
　以上（ア）〜（キ）の記載事項、（ケ）、（コ）の認定事項及び上記（ａ）〜（ｏ）の認定事項を総合すれば、引用文献には、以下の発明（以下「引用発明」という。）が記載されている（ａ〜ｏは発明の構成を分説するため当審で付した。）。
「ａ　上皿６に装着された遊技者が手指で操作入力する演出ボタン６Ａと、
ｂ　図柄変動画面における予告演出として、演出ボタン画像１００、背景画像２００、ブロック３００、キャラクタ画像５００を表示する表示画面２５Ａと、
ｃ　図柄変動画面における予告演出として、演出ボタン画像１００の表示を増加する演出と、演出ボタン画像１００の表示を消去する演出を表示する表示制御装置２６と、
ｄ　を備えた弾球遊技機であって、
ｅ　弾球遊技機は、パチンコ遊技機であり、
ｆ　表示画面２５Ａに表示されるものの一つは、演出ボタン画像１００であり、
ｈ　演出ボタン画像１００は、遊技者に演出ボタン６Ａの操作を促すものであり、
ｉ　演出ボタン画像１００が表示されると、「押して！押して！」、「プッシュ！プッシュ！」等の遊技者に演出ボタン６Ａを操作するように促す表示が行われ、遊技者がそれに応じて演出ボタン６Ａを操作したら、演出ボタン画像１００が消去され、遊技者が演出ボタン６Ａの操作を行わずに所定時間が経過すると、演出ボタン画像１００の表示は終了し、
ｋ　表示制御装置２６に表示される演出の一つは、演出ボタン画像１００の表示を消去する演出であり、
ｌ　演出ボタン画像１００が表示され、遊技者が演出ボタン６Ａを操作したら、演出ボタン画像１００の表示が消去され、
ｍ　演出ボタン画像１００が表示されて、演出ボタン６Ａを操作するように促す表示に応じて遊技者が演出ボタン６Ａを操作すると演出ボタン画像１００が消去され、
ｎ　最初に表示された演出ボタン画像１００の左隣、右側、下側、左下側、右下側の順に６つの演出ボタン画像１００を表示する、
ｏ　弾球遊技機。」　
５　対比
　本願発明と引用発明とを対比する。なお、見出しは（ａ）〜（ｏ）とし、本願発明、引用発明の分説に対応させている。
（ａ）引用発明の「演出ボタン６Ａ」は、「上皿６に装着され」、「遊技者が手指で操作入力する」ものであるから、「遊技者が操作可能な位置に設けられ」ていることは明らかである。
　よって、引用発明の「上皿６に装着された遊技者が手指で操作入力する演出ボタン６Ａ」は、本願発明の「遊技者が操作可能な位置に設けられた操作手段」に相当する。
（ｂ）引用発明の「表示画面２５Ａ」は、「図柄変動画面における予告演出として、演出ボタン画像１００、背景画像２００、ブロック３００、キャラクタ画像５００を表示する」ものであるから、「複数種類の表示を表示可能な表示手段」といえる。
　よって、引用発明の「図柄変動画面における予告演出として、演出ボタン画像１００、背景画像２００、ブロック３００、キャラクタ画像５００を表示する表示画面２５Ａ」は、本願発明の「複数種類の表示を表示可能な表示手段」に相当する。
（ｃ）引用発明の「表示制御装置２６」は、「図柄変動画面における予告演出として、演出ボタン画像１００の表示を増加する演出と、演出ボタン画像１００の表示を消去する演出を表示する」ものであるから、「複数種類の演出を実行可能な演出手段」といえる。
　よって、引用発明の「図柄変動画面における予告演出として、演出ボタン画像１００の表示を増加する演出と、演出ボタン画像１００の表示を消去する演出を表示する表示制御装置２６」は、本願発明の「複数種類の演出を実行可能な演出手段」に相当する。
（ｄ）引用発明の「弾球遊技機」は、本願発明の「遊技台」に相当する。
（ｅ）引用発明の「弾球遊技機」、「パチンコ遊技機」は、それぞれ、本願発明の「遊技台」、「パチンコ機」に相当する。
（ｆ）上記（ｂ）の検討を踏まえると、引用発明の「演出ボタン画像１００」は、「表示画面２５Ａに表示される物の一つ」であることから、本願発明の「複数種類の表示のうちの一つ」といえ、「第一の表示」に相当するといえる。
　よって、引用発明の「表示画面２５Ａに表示されるものの一つは、演出ボタン画像１００であ」ることは、本願発明の「前記複数種類の表示のうちの一つは、第一の表示であ」ることに相当する。
（ｈ）上記（ｆ）より、引用発明の「演出ボタン画像１００」は、本願発明の「第一の表示」に相当し、上記（ａ）より、引用発明の「演出ボタン６Ａ」は、本願発明の「操作手段」に相当する。
　そうすると、引用発明の「遊技者に演出ボタン６Ａの操作を促す」「演出ボタン画像１００」は、本願発明の「操作手段の操作促進表示」に相当するといえる。
　よって、引用発明の「演出ボタン画像１００は、遊技者に演出ボタン６Ａの操作を促すものであ」ることは、本願発明の「前記第一の表示は、前記操作手段の操作促進表示であ」ることに相当する。
（ｉ）引用発明は「演出ボタン画像１００が表示されると、「押して！押して！」、「プッシュ！プッシュ！」等の遊技者に演出ボタン６Ａを操作するように促す表示が行われ」るものであるから、「演出ボタン画像１００が表示されると」、演出ボタン６Ａの操作に関する受付が有効となるといえる。
　そして、引用発明は「遊技者が」「演出ボタン６Ａを操作するように促す表示」「に応じて」「演出ボタン６Ａを操作したら、演出ボタン画像１００が消去され」るのであるから、この期間は、演出ボタン６Ａの操作に関する受付が有効とされているといえる。
　さらに、引用発明は「遊技者が演出ボタン６Ａの操作を行わずに所定時間が経過すると、演出ボタン画像１００の表示は終了」するものであり、演出ボタン６Ａの操作により消去される演出ボタン画像１００の表示が終了することから、所定時間が経過すると、演出ボタン６Ａの操作に関する受付が有効となる期間が終了するといえる。
　そうすると、引用発明の「演出ボタン画像１００」は、演出ボタン画像１００が表示されると、演出ボタン６Ａの操作に関する受付が有効となり、演出ボタン６Ａの操作によって、または、所定時間の経過により、消去されるものであるから、演出ボタン６Ａの操作に関する受付が有効となる期間に表示される表示であるといえる。
　上記（ｆ）より、引用発明の「演出ボタン画像１００」は、本願発明の「第一の表示」に相当し、上記（ａ）より、引用発明の「演出ボタン６Ａ」は、本願発明の「操作手段」に相当する。
　よって、引用発明の「演出ボタン画像１００が表示されると、「押して！押して！」、「プッシュ！プッシュ！」等の遊技者に演出ボタン６Ａを操作するように促す表示が行われ、遊技者がそれに応じて演出ボタン６Ａを操作したら、演出ボタン画像１００が消去され、遊技者が演出ボタン６Ａの操作を行わずに所定時間が経過すると、演出ボタン画像１００の表示は終了」することは、本願発明の「前記第一の表示は、前記操作手段の操作に関する受付が有効となる期間（以下、「第一の期間」という。）に表示される表示であ」ることに相当する。
（ｋ）上記（ｃ）の検討を踏まえると、引用発明の「演出ボタン画像１００の表示を消去する演出」は、「表示制御装置２６に表示される演出の一つ」であることから、本願発明の「複数種類の演出のうちの一つ」といえ、「第一の演出」に相当するといえる。
　よって、引用発明の「表示制御装置２６に表示される演出の一つは、演出ボタン画像１００の表示を消去する演出であ」ることは、本願発明の「前記複数種類の演出のうちの一つは、第一の演出であ」ることに相当する。
（ｌ）上記（ａ）より、引用発明の「演出ボタン６Ａ」は、本願発明の「操作手段」に相当し、上記（ｋ）より、引用発明の「演出ボタン画像１００の表示が消去され」ることは、本願発明の「第一の演出」に相当する。
　そうすると、引用発明において、「表示され」た「演出ボタン画像１００」を「遊技者が演出ボタン６Ａを操作したら」「消去」することは、本願発明の「操作手段の操作の受付毎に実行される演出」に相当するといえる。
　よって、引用発明の「演出ボタン画像１００が表示され、遊技者が演出ボタン６Ａを操作したら、演出ボタン画像１００の表示が消去され」ることは、本願発明の「前記第一の演出は、前記操作手段の操作の受付毎に実行される演出であ」ることに相当する。
（ｍ）上記（ｉ）の検討を踏まえると、引用発明の「演出ボタン６Ａを操作するように促す表示」は、本願発明の「第一の期間」にされるものといえる。
　また、引用発明の「表示され」た「演出ボタン画像１００が消去される」ことは、本願発明の「第一の演出」に相当する。
　そして、引用発明は「遊技者が演出ボタン６Ａを操作すると」「表示されて」いた「演出ボタン画像１００が消去される」ものであるから、本願発明の「前記操作手段の操作が受け付けられると、前記第一の演出が開始され」ることに相当するといえる。
　よって、引用発明の「演出ボタン画像１００が表示されて、演出ボタン６Ａを操作するように促す表示に応じて遊技者が演出ボタン６Ａを操作すると演出ボタン画像１００が消去される」ことは、本願発明の「前記第一の期間において、前記操作手段の操作が受け付けられると、前記第一の演出が開始され」ることに相当する。
（ｎ）上記（ｆ）より、引用発明の「演出ボタン画像１００」は、本願発明の「第一の表示」に相当する。
　そうすると、引用発明の「最初に表示された演出ボタン画像１００の左隣、右側、下側、左下側、右下側」に「演出ボタン画像１００を表示する」ことは、本願発明の「第一の表示の表示位置とは異なる位置」「に新たな第一の表示が表示される場合がある」ことに相当する。
　よって、引用発明の「最初に表示された演出ボタン画像１００の左隣、右側、下側、左下側、右下側の順に６つの演出ボタン画像１００を表示する」ことは、本願発明の構成Ｎと、前記第一の表示の表示位置とは異なる位置に新たな第一の表示が表示される場合がある点で共通する。
（ｏ）引用発明の「弾球遊技機」は、本願発明の「遊技台」に相当する。
　上記（ａ）〜（ｏ）の対比による、本願発明と引用発明とは、
「Ａ　遊技者が操作可能な位置に設けられた操作手段と、
Ｂ　複数種類の表示を表示可能な表示手段と、
Ｃ　複数種類の演出を実行可能な演出手段と、
Ｄ　を備えた遊技台であって、
Ｅ　前記遊技台は、パチンコ機であり、
Ｆ　前記複数種類の表示のうちの一つは、第一の表示であり、
Ｈ　前記第一の表示は、前記操作手段の操作促進表示であり、
Ｉ　前記第一の表示は、前記操作手段の操作に関する受付が有効となる期間（以下、「第一の期間」という。）に表示される表示であり、
Ｋ　前記複数種類の演出のうちの一つは、第一の演出であり、
Ｌ　前記第一の演出は、前記操作手段の操作の受付毎に実行される演出であり、
Ｍ　前記第一の期間において、前記操作手段の操作が受け付けられると、前記第一の演出が開始され、
Ｎ’　前記第一の表示の表示位置とは異なる位置に新たな第一の表示が表示される場合がある、
Ｏ　遊技台。」
である点で一致し、以下の点で相違する。
［相違点１］
　本願発明では、複数種類の表示のうちの一つは、第二の表示であり、第二の表示は、第一の期間の長さを示唆する表示であるのに対し、引用発明では、そのような特定がなされていない点（構成Ｇ、Ｊ）。
［相違点２］
　本願発明では、第一の期間において、第一の表示の表示位置とは異なる位置であって第二の表示の一部にオーバーラップする位置に新たな第一の表示が表示される場合があるのに対し、引用発明では、そのような特定がなされていない点（構成Ｎ）。
６　判断
　上記相違点について検討する。
ア　周知技術について
　遊技機の技術分野において、操作手段の操作を促進するために、操作手段の操作に関する受付が有効となる期間の長さを示唆する表示をし、当該期間において、長さを示唆する表示の一部にオーバーラップする位置に新たな操作手段の操作促進表示が表示される場合があるようにすることは、本願出願前における周知技術である（以下「周知技術」という。）（必要があれば、特開２０１３−１８３８７１号公報（【０１９２】〜【０１９４】、【０２０５】、図１７Ｄ、図１７Ｅに、ゲージ表示に炎の表示が追加された後、火消しを行うキャラクタがゲージ表示に重ねて表示され、遊技者に演出ボタン１６を操作するように促す点が記載されている。）、特開２０１３−１２８８５６号公報（【０２８４】〜【０２９０】、図３１に、連打ゲージ画像８１０の手前にボタン押下促進画像８０４を重ねて表示することが記載されている。）等参照のこと。）。
イ　相違点１について
　上記周知技術の「操作手段の操作に関する受付が有効となる期間」、「操作手段の操作に関する受付が有効となる期間の長さを示唆する表示」が、それぞれ、本願発明の「第一の期間」、「第二の表示」に相当する。
　引用発明も当該周知技術も、操作手段の操作に関する受付が有効となる期間を有するものであり、引用発明においても、操作手段の操作に関する受付が有効となる期間に「「押して！押して！」、「プッシュ！プッシュ！」等の遊技者に演出ボタン６Ａを操作するように促す表示」が行われることから、表示によって操作手段の操作を促進するものであり、当該周知技術と同様の効果を奏するものである。
　よって、引用発明に当該周知技術を適用し、表示手段に、第一の期間の長さを示唆する表示である第二の表示を表示して、本願発明の上記相違点１に係る構成とすることは、当業者が容易になし得たことである。
ウ　相違点２について
　上記「４（１）引用文献の記載事項（ク）」より、引用文献の【００９１】には、「また、前記した実施の形態では、複数の演出ボタン画像（操作手段画像）１００が出現する第２のパターンの演出の場合に、当該複数の演出ボタン画像１００が全て出現し終わってから、演出ボタン（操作手段）６Ａの操作が可能となっていたが、本発明はこれに限らず、複数の演出ボタン画像１００が出現している途中で、演出ボタン６Ａの操作を行って、順次、特定演出画像を表示するようになっていても良い。」と記載されているから、引用文献には、複数の演出ボタン画像１００が出現している途中で、演出ボタン６Ａの操作に関する受付が有効とされていることが記載されているといえる（以下「引用文献の記載事項」という。）。
　当該引用文献の記載事項は、引用発明の変形例として記載されていることから、引用発明の構成ｎの「最初に表示された演出ボタン画像１００の左隣、右側、下側、左下側、右下側の順に６つの演出ボタン画像１００を表示する」ことに、引用文献の記載事項を適用することにより、「６つの演出ボタン画像１００を表示する」途中で、演出ボタン６Ａの操作に関する受付を有効とし、第一の期間において、第一の表示の表示位置とは異なる位置に新たな第一の表示が追加して表示される場合があるようにすることは、当業者が容易になし得たことである。
　また、上記周知技術の「操作手段の操作に関する受付が有効となる期間」、「操作手段の操作に関する受付が有効となる期間の長さを示唆する表示」が、それぞれ、本願発明の「第一の期間」、「第二の表示」に相当する。
　そして、引用発明に、上記引用文献の記載事項を適用するに際して、当該周知技術を考慮すれば、第一の表示の表示位置とは異なる位置に新たな第一の表示が表示される場合に、表示されている第二の表示の一部にオーバーラップする位置となる場合があるようにすることは、当業者が適宜なし得た事項にすぎない。
　よって、引用発明に引用文献の記載事項、及び、当該周知技術を適用することにより、本願発明の上記相違点２に係る構成とすることは、当業者が容易になし得たことである。
エ　審判請求人の主張について
　審判請求人は、平成３０年４月５日付け意見書の「３．拒絶の理由（特許法第２９条第２項）について：」において、「請求項１に係る発明によれば、第二の表示の一部に新たな第一の表示をオーバーラップさせて第二の表示の視認性を低下させ、残りの有効時間を分かりづらくさせるので、遊技者に焦りを感じさせて操作手段を早期に操作させることを促すことができるという有利な効果を奏することができます。」と述べている。
　しかしながら、上記アで検討したように、第二の表示の一部に新たな第一の表示をオーバーラップさせることは、周知技術であるから、上記審判請求人が主張する効果は、引用発明に周知技術を適用することから予測し得る範囲のものであり格別なものとはいえない。
　よって、審判請求人の主張は採用できない。
７　むすび
　以上のとおりであるから、本願発明は、引用発明、引用文献の記載事項及び周知技術に基づいて当業者が容易に発明をすることができたものであり、特許法第２９条第２項の規定により特許を受けることができない。
　したがって、他の請求項について検討するまでもなく、本願は、拒絶されるべきものである。
　よって、結論のとおり審決する。